(57)【要約】      （修正有）【課題】タブレット型の電子機器を安定した態様で載置させることができる浴槽蓋を提供する。【解決手段】浴槽の開口部を覆い得る大きさを有するとともに前端部に使用者の首部分を通過させ得る切欠部分Ｋを有した浴槽蓋本体１と、浴槽蓋本体に着脱可能に取り付けられタブレット型の電子機器を支持し得る支持部材２とを備える。支持部材がフレーム状をなす前脚２２及び後脚２３を具備してなり、これら前脚及び後脚の下端部をそれぞれ浴槽蓋本体の上面側に形成された係合孔Ｈ１，Ｈ２に係わり合わせる。【選択図】図２
0003191107.tif 000002
【実用新案登録請求の範囲】
【請求項１】
浴槽の開口部を形成する左右の開口縁間に架け渡され前記開口部の少なくとも一部を覆い得る大きさを有するとともに前端部に使用者の首部分を通過させ得る切欠部分を有した浴槽蓋本体と、前記浴槽蓋本体に着脱可能に取り付けられタブレット型の電子機器を支持し得る支持部材とを備えた浴槽蓋であって、
前記支持部材がフレーム状をなす前脚及び後脚を具備してなり、これら前脚及び後脚の下端部をそれぞれ前記浴槽蓋本体の上面側に形成された係合孔に係わり合わせていることを特徴とする浴槽蓋。
【請求項２】
前記支持部材が、前記タブレット型の電子機器の下面及び背面を支持し得る支持部材本体と、この支持部材本体の下端から下方に向かって連設された左右に対をなす前記前脚と、上端部を前記支持部材本体に軸を介して支持させて下端部を前後方向に回動可能に構成した前記後脚とを備えている請求項１記載の浴槽蓋。
【請求項３】
前記係合孔が、前記浴槽蓋本体における左右方向中間部に形成されており、且つ、前後方向に複数形成されている請求項１又は２記載の浴槽蓋。
【請求項４】
前記浴槽蓋本体が、前記切欠部分が形成された平板状の前蓋部材と、この前蓋部材の後端に連設され使用時において前記開口部を覆うとともに非使用時において巻回され得るように構成された後蓋部材とを備えてなり、
前記後蓋部材が、左右方向に延びた棒状体をシート状の連結部材を介して前後方向に一定の間隔をあけて複数配してなるものであり、前記係合孔が前記棒状体に形成されている請求項１、２又は３記載の浴槽蓋。
【請求項５】
前記浴槽蓋本体が、前記切欠部分が形成された平板状の第一の板状部材と、この第一の板状部材の後端にシート状の連結部材を介して連設された平板状の第二の板状部材とを備えてなるものであり、前記係合孔が前記第二の板状部材に形成されており、前記第二の板状部材の底面に前後方向に延びる棒状又は板状の補強材を止着している請求項１、２又は３記載の浴槽蓋。
【請求項６】
前記第一の板状部材の前後寸法、及び、前記第二の板状部材の前後寸法が、略同じ寸法に設定されている請求項５記載の浴槽蓋。
【考案の詳細な説明】
【技術分野】
【０００１】
本考案は、浴槽の開口部を覆うための浴槽蓋に関する。
【背景技術】
【０００２】
浴槽の開口部を覆うことにより湯の温度の低下を抑制するための浴槽蓋が周知である。
【０００３】
近時においては、浴槽蓋の一部に使用者の首部分を通過させ得る切欠部分を設け、使用者がいわゆるサウナ効果や美肌効果を得られるようにしたものが登場している（例えば、特許文献１を参照。）。
【０００４】
ところで、サウナ効果や美肌効果を得るべく上述したような浴槽蓋を利用する使用者は、一定の時間、浴槽内に留まることになる。そのため、使用者は、浴槽内に留まる時間を有効に活用するべく、スマートフォン等のタブレット型の電子機器を使用して動画等を閲覧しようと試みることも少なくない。
【０００５】
しかしながら、従来の浴槽蓋には、スマートフォン等を安定した態様で載置させることができなかったため、湯の入った浴槽内にスマートフォン等を落下させてしまうおそれがあった。
【先行技術文献】
【特許文献】
【０００６】
【特許文献１】実用新案登録第３１５６９３４号公報
【考案の概要】
【考案が解決しようとする課題】
【０００７】
本考案は、このような課題に着目してなされたものであって、少なくとも、タブレット型の電子機器を安定した態様で支持することができる浴槽蓋を提供することにある。
【課題を解決するための手段】
【０００８】
すなわち、本考案の浴槽蓋は、次の構成をなしている。
【０００９】
請求項１に係る考案は、浴槽の開口部を形成する左右の開口縁間に架け渡され前記開口部の少なくとも一部を覆い得る大きさを有するとともに前端部に使用者の首部分を通過させ得る切欠部分を有した浴槽蓋本体と、前記浴槽蓋本体に着脱可能に取り付けられタブレット型の電子機器を支持し得る支持部材とを備えた浴槽蓋であって、前記支持部材がフレーム状をなす前脚及び後脚を具備してなり、これら前脚及び後脚の下端部をそれぞれ前記浴槽蓋本体の上面側に形成された係合孔に係わり合わせていることを特徴とする。
【００１０】
このようなものであれば、支持部材の前脚及び後脚の下端部を浴槽蓋本体の上面側に形成された係合孔に係わり合わせているため、タブレット型の電子機器を安定した態様で載置させることができるものとなる。
【００１１】
ここで、「タブレット型の電子機器」とは、タッチパネルを搭載した平板状の情報処理装置であり、例えば、スマートフォンやタブレット型パーソナルコンピュータ等を挙げることができる。
【００１２】
請求項２に係る考案は、請求項１に係る構成において、前記支持部材が、前記タブレット型の電子機器の下面及び背面を支持し得る支持部材本体と、この支持部材本体の下端から下方に向かって連設された左右に対をなす前記前脚と、上端部を前記支持部材本体に軸を介して支持させて下端部を前後方向に回動可能に構成した前記後脚とを備えているものである。
【００１３】
このようなものであれば、前脚の下端部と後脚の下端部との離間距離を変更することができるため、支持部材本体の傾き度合いを変更することができ、使用者に適した角度でタブレット型の電子機器を閲覧させることができるものとなる。
【００１４】
請求項３に係る考案は、請求項１又は２に係る構成において、前記係合孔が、前記浴槽蓋本体における左右方向中間部に形成されており、且つ、前後方向に複数形成されているものである。
【００１５】
このようなものであれば、使用者に適した距離でタブレット型の電子機器を閲覧させることができるものとなる。
【００１６】
請求項４に係る考案は、請求項１、２又は３に係る構成において、前記浴槽蓋本体が、前記切欠部分が形成された平板状の前蓋部材と、この前蓋部材の後端に連設され使用時において前記開口部を覆うとともに非使用時において巻回され得るように構成された後蓋部材とを備えてなり、前記後蓋部材が、左右方向に延びた棒状体をシート状の連結部材を介して前後方向に一定の間隔をあけて複数配してなるものであり、前記係合孔が前記棒状体に形成されているものである。
【００１７】
このようなものであれば、切欠部分が前蓋部材に形成されているため、製造の容易に寄与するものとなり、棒状体及び連結部材により構成された後蓋部材を有しているので、非使用時においてコンパクトな収納に寄与し得るものとなる。
【００１８】
請求項５に係る考案は、請求項１、２又は３に記載の構成において、前記浴槽蓋本体が、前記切欠部分が形成された平板状の第一の板状部材と、この第一の板状部材の後端にシート状の連結部材を介して連設された平板状の第二の板状部材とを備えてなるものであり、前記係合孔が前記第二の板状部材に形成されており、前記第二の板状部材の底面に前後方向に延びる棒状又は板状の補強材を止着しているものである。
【００１９】
このようなものであれば、第二の板状部材に補強材が止着されているため、支持部材を介してスマートフォン等が載置される第二の板状部材の強度を優れたものとすることができる。
【００２０】
請求項６に係る考案は、請求項５に記載の構成において、前記第一の板状部材の前後寸法、及び、前記第二の板状部材の前後寸法が、略同じ寸法に設定されているものである。
【００２１】
このようなものであれば、収納や持ち運びの際の便宜を図るべく、全体をコンパクト化するための設計の自由度に優れたものとなる。
【考案の効果】
【００２２】
以上説明したように本考案によれば、少なくとも、タブレット型の電子機器を安定した態様で支持することができる浴槽蓋を提供することができるものとなる。
【図面の簡単な説明】
【００２３】
【図１】本考案の一実施形態を示す斜視図。
【図２】同実施形態を示す拡大斜視図。
【図３】同実施形態を示す側面図。
【図４】同実施形態の支持部材を示す正面図。
【図５】同実施形態の支持部材を示す側面図。
【図６】支持部材と浴槽蓋本体との係わり合いを説明するための断面図。
【図７】支持部材と浴槽蓋本体との係わり合いを説明するための断面図。
【図８】本考案の他の実施形態を示す平面図。
【図９】同実施形態の収納状態を示す側面図。
【考案を実施するための形態】
【００２４】
以下、本考案の一実施形態を、図１〜７を参照して説明する。
【００２５】
この実施形態は、本考案を、家庭用の浴槽Ｂに使用される浴槽蓋Ｃに適用したものである。
【００２６】
浴槽蓋Ｃは、浴槽Ｂの開口部Ｂａを形成する左右の開口縁Ｂ１間に架け渡され前記開口部Ｂａの略全部を覆い得る大きさを有するとともに前端部Ｆ（すなわち浴槽Ｂにおける使用者Ｐの頭部が位置する側の端部）に使用者Ｐの首部分Ｐｎを通過させ得る切欠部分Ｋを有した浴槽蓋本体１と、前記浴槽蓋本体１に着脱可能に取り付けられタブレット型の電子機器であるスマートフォンＳを支持し得る支持部材２とを備えている。そして、前記支持部材２が金属製又は樹脂製のフレーム状をなす前脚２２及び後脚２３を具備してなり、これら前脚２２及び後脚２３の下端部２２ｅ、２３ｅをそれぞれ前記浴槽蓋本体１の上面側に形成された係合孔Ｈ１、Ｈ２に係わり合わせている。
【００２７】
以下、この浴槽蓋Ｃについて詳述する。
【００２８】
浴槽蓋本体１は、平面視略矩形状をなす樹脂製のものであり、浴槽Ｂの開口部Ｂａを覆い得る前後寸法及び幅寸法を有し、浴槽Ｂ内の湯の温度の低下を抑制する機能を営むものである。なお、浴槽蓋本体１の材質は、樹脂であるプラスチック、発泡ウレタン、ＦＲＰの他、アルミ板や木材等、種々のものを適用することができる。
【００２９】
前記浴槽蓋本体１は、前端部、且つ、左右方向中間部に位置してなる略釣鐘形状に切り欠かれた切欠部分Ｋを備えてなる平板状の前蓋部材１１と、この前蓋部材１１の後端に連設され使用時において前記開口部Ｂａを覆うとともに非使用時においてロール状に巻回され得るように構成された後蓋部材１２とを備えている。切欠部分Ｋは、浴槽蓋本体１の略全体が浴槽Ｂの開口部Ｂａを覆っている状態で、浴槽Ｂ内にいる使用者Ｐの首部分Ｐｎを通過させるための部分であり、切欠部分Ｋの縁部には使用者Ｐの首部分Ｐｎを保護するべく適宜クッション性に優れたラバー材が取り付けられる。なお、当該切欠部分Ｋを使用しない場合には、当該切欠部分Ｋを閉塞するべく図示しない別部材を装着するようにしてもよい。また、前蓋部材１１において外方に露出する角部分は安全性を向上させるべく丸く形成してある。
【００３０】
前記後蓋部材１２は、左右方向に延びた側面視台形状をなす中空の棒状体１２１をシート状の連結部材１２２を介して前後方向に一定の間隔をあけて複数配してなるものである。この実施形態では、前記係合孔Ｈ１、Ｈ２が、前記浴槽蓋本体１における左右方向中間部に形成されており、且つ、前後方向に複数形成されている。より具体的に言えば、前記係合孔Ｈ１、Ｈ２が複数の棒状体１２１の上面及び側面に形成されている。係合孔Ｈ１、Ｈ２は、支持部材２における前脚２２の下端部２２ｅを係わり合わせるための左右の前脚係合孔Ｈ１と、支持部材２における後脚２３の下端部２３ｅを係わり合わせるための後脚係合孔Ｈ２とによって構成されている。
【００３１】
支持部材２は、スマートフォンＳを浴槽蓋本体１上に安定した状態で保持させるためのものである。前記支持部材２は、前記スマートフォンＳの下面及び背面を支持し得る支持部材本体２１と、この支持部材本体２１の下端から下方に向かって連設された左右に対をなす前記前脚２２と、上端部２３ｕを前記支持部材本体２１に軸Ｊを介して支持させて下端部２３ｅを前後方向に回動可能に構成した前記後脚２３とを備えている。支持部材本体２１と前脚２２とは、一体に形成されている。
【００３２】
支持部材本体２１は、正面視において上下を逆転させたＵ字に近似した形状をなしている。支持部材本体２１は、スマートフォンＳの背面を支持し得る背面支持フレーム２１１と、この背面支持フレーム２１１の下端部から前方に向かって突設され、スマートフォンＳの下面を支持し得る左右の台座用突起２１２とを備えている。
【００３３】
背面支持フレーム２１１は、後脚２３を枢着するべく、上下方向中間部に軸Ｊを兼ねたボルトｖを挿通可能な貫通孔ｘと、前記貫通孔ｘ及び後脚２３の貫通孔ｙを通過したボルトｖの先端部が螺合するナットｎを備えている。背面支持フレーム２１１の貫通孔ｘとナットｎは、上段、中段、下段の３箇所にそれぞれ設けられており、後脚２３の取り付け位置を調整することができるようになっている。
【００３４】
台座用突起２１２は、その先端部にスマートフォンＳの離脱を抑制するための突起ｔが上方向に凸をなすように設けられている。
【００３５】
前脚２２は、背面支持フレーム２１１の下端から下方に向かって連続して延びてなるものである。この実施形態では、左右の前脚２２は外方に向かって屈曲させた正面視Ｌ字状をなしており、係合孔Ｈ１に係わり合った下端部２２ｅが中空の棒状体１２１内に入り込んで離脱し難いように構成してある。
【００３６】
前脚２２の下端部２２ｅを浴槽蓋本体１の係合孔Ｈ１に係合させるには、前脚２２と一体に形成された背面支持フレーム２１１を一時的に内方に向かって弾性変形させることにより行われる。
【００３７】
後脚２３は、正面視においてＴ字状をなしたものであり、金属製又は樹脂製のフレーム状のものである。後脚２３の上端部２３ｕはその両端が背面支持フレーム２１１に摺接し得る寸法に設定されている。また、後脚２３の上端部２３ｕは、左右方向に延びるボルト挿通用の貫通孔ｙを有している。後脚２３の下端部２３ｅは、浴槽蓋本体１の後脚係合孔Ｈ２に係わり合うものであり、後方に向かって突設された抜け止め抑制用の突起ｗが設けられている。この後脚２３は、必要な場合には、下端部２３ｅを切除して長さを調整することも可能である。
【００３８】
しかして、支持部材２は、前脚２２の下端部２２ｅが係わり合う前脚係合孔Ｈ１、及び、後脚２３の下端部２３ｅが係わり合う後脚係合孔Ｈ２を選択することにより、スマートフォンＳと使用者Ｐとの距離やスマートフォンＳの画面の向きを適宜調整することができるようになっている。
【００３９】
以上詳述した通り、本実施形態に係る浴槽蓋Ｃは、スマートフォンＳを安定した態様で載置させることができるものとなり、スマートフォンＳを浴槽Ｂに落下させること無く快適に使用し得るものとなる。
【００４０】
例えば、スマートフォンＳに環状部分を有したストラップを取り付けているような場合には、そのストラップの環状部分を支持部材２の前脚２２又は後脚２３の何れかに回した上で、当該支持部材２を浴槽蓋本体１に取り付けるようにするとよい。このようにすれば、より確実にスマートフォンＳが浴槽Ｂに転落することを抑制することができるものとなる。
【００４１】
なお、本考案は、以上に詳述した実施形態に限られるものではない。
【００４２】
浴槽蓋本体の形状及び構造は、種々のものが考えられ、上述した実施形態に示したものに限定されるものではない。
【００４３】
例えば、図８及び図９に示すようなものが考えられる。なお、当該図８及び図９において、上述した実施形態と同一または対応する構成については同様の符号を付すこととし詳細な説明を省略する。
【００４４】
他の実施形態である浴槽蓋Ｃは、浴槽蓋本体１と支持部材とから構成されているが、支持部材については上述した実施形態と同様の構成であるため図示を省略している。この浴槽蓋Ｃにおいては、浴槽蓋本体１が、切欠部分Ｋが形成された平板状の第一の平板部材１１と、この第一の平板部材１１の後端にシート状の連結部材１３を介して連設された平板状の第二の平板部材１２とを備えてなるものである。前脚係合孔Ｈ１及び後脚係合孔Ｈ２は、前記第二の平板部材１２に複数形成されている。また、第二の平板部材１２の底面には、前後方向に延びる棒状又は板状の補強材１４が止着されている。当該他の実施形態では、前記第一の平板部材１１の前後寸法、及び、前記第二の平板部材１２の前後寸法が、略同じ寸法に設定されている。このため、収納時及び持ち運び時には、折り畳んでコンパクトに変形させることができ、取り扱いに便宜になるように構成されている。このようなものであっても、所期の目的を達成することができるものとなる。なお、この実施形態においては、第一の平板部材１１、及び、第二の平板部材１２の前後寸法はそれぞれ約２５ｃｍに設定されており、左右幅寸法はそれぞれ約７３ｃｍに設定されており、厚み寸法はそれぞれ約２ｃｍに設定されている。第一、第二の平板部材１１、１２において外方に露出する角部分は安全を考慮して丸く形成してある。
【００４５】
上述した各実施形態はあくまでも一例を示したものであり、その他、本考案の趣旨を逸脱しない範囲で種々変形可能である。
【００４６】
例えば、浴槽蓋本体の大きさは必ずしも浴槽の開口部を完全に覆う必要は無い。浴槽蓋本体は、少なくとも浴槽の開口部の一部を覆うものであればよい。
【００４７】
浴槽蓋本体に適宜、ＡＧ抗菌を施してもよいのはもちろんのことである。
【００４８】
保温性を向上させるべく、浴槽蓋本体の裏面にアルミシートを貼り設けるようにしてもよい。
【００４９】
係合孔は、種々の形状のものが考えられ、浴槽蓋本体に形成されたざぐり孔であってもよいし、浴槽蓋本体に起伏を設けることにより係合孔を形成したものであってもよい。
【００５０】
後蓋部材を構成する棒状体は、必ずしも中空のものでなくてもよい。
【００５１】
支持部材は、フレーム状をなす前脚及び後脚を具備していればよく、上述した実施形態に示されたものに限定されるものではない。例えば、前脚及び後脚に浴槽蓋本体に吸着し得る吸盤を別途取り付けて、取付の補助を行うようにしてもよい。また、支持部材のフレーム形状についても、種々変形可能であることは言うまでもない。例えば、フレーム状をなす支持部材本体、前脚、後脚の何れかを適宜、湾曲する形状に形成すれば、使用者が把持し易いものとなり好適である。
【００５２】
その他、各部の具体的構成についても上記実施形態に限られるものではなく、本考案の趣旨を逸脱しない範囲で種々変形が可能である。
【符号の説明】
【００５３】
Ｃ…浴槽蓋
１…浴槽蓋本体
２…支持部材
Ｓ…タブレット型電子機器（スマートフォン）
Ｂ…浴槽
【図１】
0003191107.tif 000003
【図２】
0003191107.tif 000004
【図３】
0003191107.tif 000005
【図４】
0003191107.tif 000006
【図５】
0003191107.tif 000007
【図６】
0003191107.tif 000008
【図７】
0003191107.tif 000009
【図８】
0003191107.tif 000010
【図９】
0003191107.tif 000011